(57)【要約】【課題】ユーザが紙カルテをめくって興味のあるページを閲覧するだけで関連する情報を自動的に得ることを可能とし、ユーザの作業負荷を軽減させる。【解決手段】第１画像取得部を介して紙カルテから取得されたカルテ情報に関する第１の画像を保持する第１の保持手段と、患者に関わる関連情報を保持する第２の保持手段と、前記第１の保持手段により保持されている第１の画像のうち、紙カルテの各ページをユーザが閲覧する際に第２画像取得部を介して取得された閲覧ページのカルテ情報に関する第２の画像と一致する第１の画像があるか否かを判定する判定手段と、前記判定手段により一致する第１の画像があると判定された場合には、前記第２の保持手段により保持されている関連情報から、前記一致すると判定された第１の画像に関連する関連情報を抽出して表示部に表示する表示手段と、を有することによって課題を解決する。【選択図】図２
2016122282.tif 000002
【特許請求の範囲】
【請求項１】
第１画像取得部を介して紙カルテから取得されたカルテ情報に関する第１の画像を保持する第１の保持手段と、
患者に関わる関連情報を保持する第２の保持手段と、
前記第１の保持手段により保持されている第１の画像のうち、紙カルテの各ページをユーザが閲覧する際に第２画像取得部を介して取得された閲覧ページのカルテ情報に関する第２の画像と一致する第１の画像があるか否かを判定する判定手段と、
前記判定手段により一致する第１の画像があると判定された場合には、前記第２の保持手段により保持されている関連情報から、前記一致すると判定された第１の画像に関連する関連情報を抽出して表示部に表示する表示手段と、
を有するシステム。
【請求項２】
前記第１の保持手段は、前記第１画像取得部を介して取得された第１の画像を前記紙カルテの閲覧ページが作成された際の日時情報と紐付けて保持し、
前記第２の保持手段は、前記患者に関わる関連情報を前記関連情報が取得された際の日時情報と紐付けて保持し、
前記表示手段は、前記第２の保持手段により保持されている関連情報から、前記一致すると判定された第１の画像に紐付けられている日時情報に基づいて抽出した関連情報を表示部に表示する請求項１に記載のシステム。
【請求項３】
前記表示手段は、前記第２の保持手段により保持されている関連情報から、前記一致すると判定された第１の画像に紐付けられている日時情報が示す日付と同じの日付を示す日時情報に紐付けられている関連情報を抽出して表示部に表示する請求項２に記載のシステム。
【請求項４】
前記第１の保持手段は、前記第１の画像に更に患者情報を紐付けて保持し、
前記表示手段は、前記第２の保持手段により保持されている関連情報から、前記一致すると判定された第１の画像に紐付けられている日時情報が示す日付を基準として、前記第１の画像に紐付けられている患者情報が示す罹患状態に応じて予め定められている期間内の日付を示す日時情報に紐付けられている関連情報を抽出して表示部に表示する請求項２に記載のシステム。
【請求項５】
光学文字読取部を介して前記第２の画像から病名を特定する特定手段を更に有し、
前記表示手段は、前記第２の保持手段により保持されている関連情報から、前記一致すると判定された第１の画像に紐付けられている日時情報が示す日付を基準として、前記特定された病名に応じて予め定められている期間内の日付を示す日時情報に紐付けられている関連情報を抽出して表示部に表示する請求項２に記載のシステム。
【請求項６】
前記一致すると判定された第１の画像に紐付けられている日時情報が示す日付において発行された検査オーダーを取得することにより、前記検査オーダーで指定されている検査日を特定する特定手段を更に有し、
前記表示手段は、前記第２の保持手段により保持されている関連情報から、前記特定された検査日を示す日時情報に紐付けられている関連情報を抽出して表示部に表示する請求項２に記載のシステム。
【請求項７】
前記第１の保持手段は、前記第１の画像に更に患者情報を紐付けて保持し、
前記表示手段は、前記一致すると判定された第１の画像に紐付けられている患者情報を前記抽出した関連情報とともに表示する請求項２に記載のシステム。
【請求項８】
前記表示手段は、前記紙カルテのページめくりが検出されてから予め定められた一定時間経過後に、前記一致すると判定された第１の画像に関連する関連情報の表示を更新する請求項１乃至７の何れか１項に記載のシステム。
【請求項９】
前記表示手段は、前記一致すると判定された第１の画像に関連する関連情報に含まれる患者識別情報が、前記紙カルテのページめくりが検出される前と後とで一致しない場合には、エラーメッセージを表示する請求項１乃至８の何れか１項に記載のシステム。
【請求項１０】
前記関連情報は、検査画像、検査結果に関する数値データ、患者に関する個人情報のうち少なくとも１つ以上を含む情報である請求項１乃至９の何れか１項に記載のシステム。
【請求項１１】
システムが実行する情報処理方法であって、
第１画像取得部を介して紙カルテから取得されたカルテ情報に関する第１の画像を保持する第１の保持ステップと、
患者に関わる関連情報を保持する第２の保持ステップと、
前記第１の保持ステップにより保持されている第１の画像のうち、紙カルテの各ページをユーザが閲覧する際に第２画像取得部を介して取得された閲覧ページのカルテ情報に関する第２の画像と一致する第１の画像があるか否かを判定する判定ステップと、
前記判定ステップにより一致する第１の画像があると判定された場合には、前記第２の保持ステップにより保持されている関連情報から、前記一致すると判定された第１の画像に関連する関連情報を抽出して表示部に表示する表示ステップと、
を含む情報処理方法。
【請求項１２】
コンピュータに、
第１画像取得部を介して紙カルテから取得されたカルテ情報に関する第１の画像を保持する第１の保持ステップと、
患者に関わる関連情報を保持する第２の保持ステップと、
前記第１の保持ステップにより保持されている第１の画像のうち、紙カルテの各ページをユーザが閲覧する際に第２画像取得部を介して取得された閲覧ページのカルテ情報に関する第２の画像と一致する第１の画像があるか否かを判定する判定ステップと、
前記判定ステップにより一致する第１の画像があると判定された場合には、前記第２の保持ステップにより保持されている関連情報から、前記一致すると判定された第１の画像に関連する関連情報を抽出して表示部に表示する表示ステップと、
を実行させるためのプログラム。
【発明の詳細な説明】
【技術分野】
【０００１】
本発明は、システム、情報処理方法及びプログラムに関する。
【背景技術】
【０００２】
診察室において、検査結果等の医用画像をモニタ画面に表示する際には、画像情報に付加された各種情報（検査日、部位情報、患者名等）を基に検索を行う。更に、一覧表示された画像情報に対し、ユーザがマウスクリックや画面タッチをすることにより適宜拡大表示する手法が一般的である。
また、特許文献１では、顕微鏡で検体を観察する際に、プレパラートに特定のパターンを付加しておき、パターン付きのプレパラートを顕微鏡にセットすると自動的に関連する情報をモニタに表示する技術が開示されている。
【先行技術文献】
【特許文献】
【０００３】
【特許文献１】特開２０１０−９７５０９号公報
【発明の概要】
【発明が解決しようとする課題】
【０００４】
しかしながら従来の手法では、閲覧したい画像をモニタ画面に表示させるために、ユーザが端末に対して検索や画像選択等の何らかの能動的な操作を適切に行う必要がある。また、紙カルテと電子システムとが併用されている環境において適切な操作を行うためには、ユーザが紙カルテから必要な情報を読み取って検索・選択しなければならず、一定の時間とスキルとを要する。そのため、診察時間が限られていたり、ユーザのＩＴリテラシーが高くなかったりする場合には、このような操作における作業負荷は大きくなる。
また、特許文献１に示す手法では、撮影対象に付加する特定のパターンと、モニタに表示する情報との関連付けを事前に行っておく必要があり、大量の撮影対象や関連画像が存在する場合には作業量が多くなってしまう。
本発明は、ユーザが紙カルテをめくって興味のあるページを閲覧するだけで関連する情報を自動的に得ることを可能とし、ユーザの作業負荷を軽減させることを目的とする。
【課題を解決するための手段】
【０００５】
そこで、本発明のシステムは、第１画像取得部を介して紙カルテから取得されたカルテ情報に関する第１の画像を保持する第１の保持手段と、患者に関わる関連情報を保持する第２の保持手段と、前記第１の保持手段により保持されている第１の画像のうち、紙カルテの各ページをユーザが閲覧する際に第２画像取得部を介して取得された閲覧ページのカルテ情報に関する第２の画像と一致する第１の画像があるか否かを判定する判定手段と、前記判定手段により一致する第１の画像があると判定された場合には、前記第２の保持手段により保持されている関連情報から、前記一致すると判定された第１の画像に関連する関連情報を抽出して表示部に表示する表示手段と、を有する。
【発明の効果】
【０００６】
本発明によれば、ユーザが紙カルテをめくって興味のあるページを閲覧するだけで関連する情報を自動的に得ることを可能とし、ユーザの作業負荷を軽減させることができる。
【図面の簡単な説明】
【０００７】
【図１】システム構成及びハードウェア構成の一例を示す図である。
【図２】システムの機能構成の一例を示す図である。
【図３】システムにおける処理の一例を示すフローチャートである。
【発明を実施するための形態】
【０００８】
以下、本発明を実施するための形態について図面を用いて説明する。
＜実施形態１＞
図１（ａ）は、本実施形態のシステムにおけるシステム構成の一例を示す図である。本システムにおける画像保存サーバ１０１には、検査機器１０２と紙カルテスキャン装置１０３とが接続されている。検査機器１０２は、例えばＣＴやＭＲＩ等の医用画像（検査画像）を得ることができる検査装置である。本実施形態における検査機器１０２は、医用画像を得るためだけの装置である必要はなく、検査結果の数値データや患者の個人情報を入力するためのＰＣ端末やＩＣカードリーダ等であってもよい。これにより、画像保存サーバ１０１は、検査機器１０２を介して医用画像、検査結果の数値データ、患者の個人情報といった患者に関連する様々な関連情報を取得することができる。紙カルテスキャン装置１０３は、一般的な紙スキャン装置であるが、紙カルテに記載されたカルテ情報を読み取って画像化する機能を有していれば、カメラと紙送り装置とで構成されるようにしてもよい。また、紙カルテスキャン装置１０３は単にカメラであってもよい。なお、紙カルテスキャン装置１０３は、第１画像取得部の一例である。
更に、本システムにおける画像保存サーバ１０１には、操作端末１０４が接続されている。操作端末１０４は、例えば診察室に置かれたＰＣ端末で、画像保存サーバ１０１とネットワーク回線を介して接続されている。ここで、操作端末１０４は、画像保存サーバ１０１とＵＳＢ等で直接接続されていてもよいし、画像保存サーバ１０１の機器内に配置され一体として構成されていてもよい。操作端末１０４には、モニタ装置１０５と紙カルテ撮影装置１０６とが接続されている。モニタ装置１０５は、液晶ディスプレイやディスプレイ一体型ＰＣ等である。なお、モニタ装置１０５は、表示部の一例である。紙カルテ撮影装置１０６は、診察室の天井等に固定されたカメラ装置等である。紙カルテ撮影装置１０６は、医師（ユーザ）が紙カルテを閲覧する際に閲覧ページに記載されているカルテ情報を画像として取得できるものであればよく、手持ちのカメラや卓上のカメラ、スキャナ装置等であってもよい。なお、紙カルテ撮影装置１０６は、第２画像取得部の一例である。
【０００９】
図１（ｂ）は、画像保存サーバ１０１のハードウェア構成の一例を示す図である。ＣＰＵ１１１は、画像保存サーバ１０１全体を制御する。メモリ１１２は、ＣＰＵ１１１が記憶装置１１３から読み出したプログラムやデータを一時的に記憶する。また、メモリ１１２は、ＣＰＵ１１１が各種のプログラムを実行するための領域としても利用される。記憶装置１１３は、例えばＳＳＤやＨＤＤのような大容量記憶装置により構成される。記憶装置１１３は、オペレーティングシステム（ＯＳ）や各種機能を実現するための各種プログラム（制御プログラム）、ＣＰＵ１１１が実行する処理に要する各種データ等を記憶する。後述する画像保存サーバ１０１の機能構成やフローチャートにおける画像保存サーバ１０１の処理（情報処理）は、ＣＰＵ１１１が記憶装置１１３に記憶されているプログラムを読み出して実行することにより実現される。入力装置１１４は、画像保存サーバ１０１への入力を受け付ける。表示装置１１５は、画像保存サーバ１０１が保持する各種情報を表示する。通信Ｉ／Ｆ１１６は、画像保存サーバ１０１と外部装置とのネットワークを介した通信を可能とする。
本実施形態における操作端末１０４のハードウェア構成も、図１（ｂ）に示すハードウェア構成と同様の構成であるものとする。即ち、操作端末１０４のＣＰＵ１１１が操作端末１０４の記憶装置１１３に記憶されているプログラムを読み出して実行することにより、後述する操作端末１０４の機能構成やフローチャートにおける操作端末１０４の処理（情報処理）が実現される。なお、上述したように画像保存サーバ１０１と操作端末１０４とは、一体の装置として構成されていてもよい。
【００１０】
図２は、本実施形態におけるシステムの機能構成の一例を示す図である。画像保存サーバ１０１は、カルテ情報スキャン機能２０７、カルテ情報保持機能２０８、関連情報保持機能２０９、カルテ情報比較機能２１０を有している。また、操作端末１０４は、閲覧時撮影機能２１１、関連情報表示機能２１２を有している。
カルテ情報スキャン機能２０７は、紙カルテスキャン装置１０３を制御して紙カルテに記載されたカルテ情報を画像として取得する。ここで取得される画像は、第１の画像の一例である。また、カルテ情報スキャン機能２０７は、紙カルテが作成された日時（時間を含まず日付だけでもよい）を示す日時情報を取得する。ここで、紙カルテは作成したその日にスキャンするという運用ルールを設けることで、カルテ情報スキャン機能２０７は、紙カルテのスキャンと同時にその紙カルテの作成日を示す日時情報を取得することができる。即ち、カルテ情報スキャン機能２０７は、紙カルテをスキャンした日をその紙カルテの作成日として前記日時情報を取得することができる。また、紙カルテに作成日時や作成日を示すバーコードを貼付したり、作成日時や作成日を示す専用のスタンプを押印したりして、カルテ情報スキャン機能２０７が、そのバーコードやスタンプを読み取ることで前記日時情報を取得するようにしてもよい。また、紙カルテに作成日時や作成日を明瞭に記載するようにし、その記載部分をＯＣＲ（Ｏｐｔｉｃａｌ  Ｃｈａｒａｃｔｅｒ  Ｒｅａｄｉｎｇ）によって解析することで前記日時情報を取得するようにしてもよい。なお、ＯＣＲは、光学文字読取部の一例である。
【００１１】
カルテ情報保持機能２０８は、カルテ情報スキャン機能２０７が取得したカルテ情報に関する画像を画像保存サーバ１０１内の記憶装置１１３に保持する。その際、カルテ情報保持機能２０８は、上述した日時情報を紐付けて保持するようにする。なお、カルテ情報保持機能２０８が実行する処理は、第１の保持処理の一例である。
関連情報保持機能２０９は、検査機器１０２によって取得された医用画像、検査結果の数値データ、患者の顔写真や氏名等の個人情報といった患者に関連する関連情報を検索可能な状態で画像保存サーバ１０１内の記憶装置１１３に保持する。より具体的に説明すると、関連情報保持機能２０９は、前記関連情報を前記関連情報が検査機器１０２により取得された日時（時間を含まず日付だけでもよい）を示す日時情報と紐付けて、日時情報に基づいて検索可能なように保持する。なお、関連情報保持機能２０９が実行する処理は、第２の保持処理の一例である。カルテ情報保持機能２０８が保持するカルテ情報に関する画像と、関連情報保持機能２０９が保持する関連情報とは、操作端末１０４が有する記憶装置１１３に保持されるようにしてもよいし、クラウド技術等を用いて遠隔地のサーバに保持されるようにしてもよい。
閲覧時撮影機能２１１は、診察室において医師が現在開いている紙カルテのページに記載されているカルテ情報を、紙カルテ撮影装置１０６を制御して画像として取得する。ここで取得される画像は、第２の画像の一例である。また、閲覧時撮影機能２１１は、カメラの角度や照明状態の差異を補正し、取得する画像をカルテ情報保持機能２０８が保持している画像と容易に比較することができるように前処理を行う機能も有している。
【００１２】
カルテ情報比較機能２１０は、閲覧時撮影機能２１１が取得したカルテ情報に関する画像と一致する画像を、カルテ情報保持機能２０８が保持しているカルテ情報に関する画像から検索する。そして、カルテ情報比較機能２１０は、検索の結果、閲覧時撮影機能２１１が取得した画像と一致する画像をカルテ情報保持機能２０８が保持していた場合、カルテ情報保持機能２０８が前記一致する画像と紐付けて保持している日時情報を取得する。更に、カルテ情報比較機能２１０は、自身が取得した日時情報に基づいて、関連情報保持機能２０９が保持している関連情報の中から閲覧時撮影機能２１１が取得した画像と関連する関連情報を抽出する。以下、関連情報の抽出方法についてより具体的に説明する。
ここでいう「関連する」関連情報とは、カルテ情報比較機能２１０が取得した日時情報が示す紙カルテの作成日に検査機器１０２で取得された関連情報のことである。例えば、カルテ情報保持機能２０８が保持する画像の中に閲覧時撮影機能２１１が取得した画像と一致する画像があったとして、その一致した画像に紐付けられている日時情報が２０１３年１０月２２日を示していたとする。即ち、前記一致した画像が２０１３年１０月２２日にスキャンされたものであったとする。この場合、カルテ情報比較機能２１０は、関連情報保持機能２０９が保持する関連情報のうち、２０１３年１０月２２日を示す日時情報に紐付けられている関連情報、即ち、２０１３年１０月２２日に行われた検査で取得された関連情報を抽出することになる。
関連情報表示機能２１２は、以上のような手順でカルテ情報比較機能２１０が関連情報保持機能２０９により保持されている関連情報から抽出した関連情報を、モニタ装置１０５に表示する。
【００１３】
図３は、診察室で医師による診察が行われている際に、図１に示すシステムで実行される処理の一例を示すフローチャートである。まず、医師が診察を開始すると（Ｓ３０１）、閲覧時撮影機能２１１は、紙カルテが机上に置かれているかどうかを判定する（Ｓ３０２）。閲覧時撮影機能２１１は、紙カルテが机上に置かれていないと判定した場合は、本フローチャートの処理を終了する（Ｓ３０３）。本実施形態では、医師が手動で操作端末１０４のスイッチ等を操作することによって本処理を開始させるようにしてもよいし、非接触ＩＣチップ等を用いて紙カルテが机上に置かれたことを操作端末１０４が検知した場合に本処理を開始させるようにしてもよい。また、スイッチ操作や紙カルテの検知によらずに本処理を開始させるようにしてもよいが、その場合、閲覧時撮影機能２１１は、Ｓ３０２で机上に紙カルテが置かれていないと判定しても処理を終了せず、紙カルテを検出するまでＳ３０２の処理を繰り返す。
【００１４】
閲覧時撮影機能２１１は、Ｓ３０２で紙カルテが机上に置かれていると判定した場合には、紙カルテの開いているページを撮影し、そのページに記載されているカルテ情報に関する画像を取得する（Ｓ３０４）。そして、閲覧時撮影機能２１１は、撮影した紙カルテのページが、前回撮影時に撮影したページと同じであるか否かを判定する（Ｓ３０５）。より具体手に説明すると、閲覧時撮影機能２１１は、Ｓ３０４で取得したカルテ情報に関する画像と前回撮影時に取得したカルテ情報に関する画像とを比較し、両画像に変化が見られない場合は、紙カルテのページがめくられていないと判定する。即ち、閲覧時撮影機能２１１は、前回撮影時に撮影したページと同じであると判定し、再び撮影を続行する（Ｓ３０４）。一方、閲覧時撮影機能２１１は、両画像に変化が見られた場合は、紙カルテのページがめくられたと判定し、処理をＳ３０６に進める。また、閲覧時撮影機能２１１は、本フローチャートの処理において初回の撮影である場合や、何らかの事由で前回撮影時の画像が得られない場合は、画像に変化が見られたと判定し、処理をＳ３０６に進める。
【００１５】
閲覧時撮影機能２１１は、Ｓ３０４で取得した画像に対し、台形補正、ライティング補正等の画像処理を行う（Ｓ３０６）。この処理は、カルテ情報比較機能２１０が、閲覧時撮影機能２１１で取得された画像とカルテ情報スキャン機能２０７で取得された画像とを比較できるようにするために行う処理である。より具体的には、カメラの角度や診察室の照明等の影響を画像から除去する処理である。次に、閲覧時撮影機能２１１は、Ｓ３０６で画像処理した後の画像を画像保存サーバ１０１に送信する（Ｓ３０７）。本実施形態において、Ｓ３０５、Ｓ３０６、Ｓ３０７の処理順序は、図３に示す処理順序と異なっていてもよい。例えば、Ｓ３０５の処理前に、Ｓ３０６の処理が行われてもよい。また、ここでは、Ｓ３０５及びＳ３０６の処理を操作端末１０４のカルテ情報比較機能２１０が実行するものとして説明したが、Ｓ３０５及びＳ３０６の処理を実行する機能を画像保存サーバ１０１に備えさせるようにしてもよい。また、必ずしも本フローチャートにおいてＳ３０５及びＳ３０６の処理を必須の処理としなくてもよい。
【００１６】
続いて、カルテ情報比較機能２１０は、閲覧時撮影機能２１１からから受信した画像と一致する画像をカルテ情報保持機能２０８によって保持されている画像の中から検索し、一致する画像があるか否かを判定する（Ｓ３０８）。Ｓ３０６で上述した画像処理が施されていることにより、本処理における画像の検索が容易になる。そして、カルテ情報比較機能２１０は、一致する画像がないと判定した場合には処理をＳ３０４に戻す。一方、カルテ情報比較機能２１０は、一致する画像があると判定した場合には、関連情報保持機能２０９が保持している関連情報の中から、検索して取得した前記一致する画像と関連する関連情報を抽出する。なお、本実施形態における関連情報の抽出方法に関しては上述したため、ここでは説明を省略する。そして、関連情報表示機能２１２は、抽出された関連情報をモニタ装置１０５に表示する（Ｓ３０９）。ここで表示される関連情報は、ＣＴやＭＲＩ等の医用画像、検査結果の数値データ、患者の顔写真や氏名等の個人情報等であり、これら全ての関連情報が表示されるようにしてもよいし、予め定められた内容の関連情報のみが表示されるようにしてもよい。以上の処理により、医師が閲覧している紙カルテの閲覧ページに関連する関連情報を自動的に表示することができる。即ち、医師が前記関連情報を得るための作業負荷を軽減することができる。
【００１７】
関連情報表示機能２１２がモニタ装置１０５に表示する関連情報を更新する場合には、医師による手動でのスイッチ操作等に基づく指示を受け付けてから更新するようにしてもよい。また、関連情報表示機能２１２は、ページめくりが検出されてから予め定められた一定時間経過後にモニタ装置１０５に表示する関連情報を更新するようにしてもよい。これらの条件を付与することにより、医師が頻繁に紙カルテのページをめくることでモニタ装置１０５の画面に表示される関連情報が頻繁に更新され、所望の関連情報が得にくくなることを回避することができる。また、モニタ装置１０５の画面の更新に関して、自動的に更新するモードと、医師によるスイッチ操作により更新するモードと、ページめくりが検出されてから一定時間経過後に更新するモードとを手動で切り替えられるようにしてもよい。関連情報表示機能２１２は、画面の表示を更新したら再び処理をＳ３０２に戻す。
以上、本実施形態によれば、医師が紙カルテをめくって興味のあるページを閲覧するだけで、閲覧しているページに関連する関連情報を自動的に得ることができる。そのため、これまで前記関連情報を得るために要していた医師の作業負荷を軽減することができる。
【００１８】
＜実施形態２＞
本実施形態におけるシステム構成、ハードウェア構成、機能構成、フローチャートについては、図１〜３を用いて実施形態１で説明した通りであるため説明を省略する。本実施形態では、カルテ情報比較機能２１０が、関連情報保持機能２０９により保持されている関連情報の中から閲覧時撮影機能２１１が取得した画像と関連する関連情報を抽出する際の抽出方法が実施形態１と異なる。
本実施形態でいう「関連する」関連情報とは、カルテ情報比較機能２１０が取得した日時情報が示す紙カルテの作成日を基準として一定の期間内に検査機器１０２で取得された関連情報のことである。ここでいう一定の期間とは、閲覧時撮影機能２１１によって撮影された紙カルテの該当患者が罹患している疾病や病態によって変化する期間である。即ち、ここでいう一定の期間とは、疾病や病態に関する罹患状態に応じて予め定められている期間である。例えば、悪性腫瘍等の慢性患者であればカルテ作成日の前後６カ月、外傷や感染症等の患者であればカルテ作成日の前後１カ月等、カルテ情報比較機能２１０は、予め定められた期間内に検査や取得された関連情報を「関連する」関連情報として抽出する。
【００１９】
上記の抽出方法を実現するにあたり、本実施形態におけるカルテ情報保持機能２０８は、患者の罹患状態を示す患者情報を、カルテ情報スキャン機能２０７で取得された前記患者のカルテ情報に関する画像と紐付けて保持するようにする。なお、ここでいう患者情報には、患者の氏名、診療科、病名、病態等に関する情報が含まれるものとする。そして、カルテ情報比較機能２１０は、閲覧時撮影機能２１１から受信した画像と一致する画像をカルテ情報保持機能２０８によって保持されている画像の中から検索し、一致する画像に紐付けられている日時情報と患者情報とを取得する。更に、カルテ情報比較機能２１０は、自身が取得した日時情報が示す紙カルテの作成日を基準として、取得した患者情報が示す罹患状態に応じて予め定められている期間内の日付を示す日時情報に紐付けられている関連情報を抽出する。
もちろん、患者情報は画像保存サーバ１０１内の記憶装置１１３に保持されずに外部のサーバやデータベースに保持されるようにしてもよい。その場合、カルテ情報比較機能２１０は、カルテ情報保持機能２０８によって保持されている画像の中から検索した画像に紐付く患者情報を前記外部サーバやデータベースに問い合わせることで取得する。なお、ここでは、複数のデータを記憶するＨＤＤ等の記憶装置のことを含めてデータベースという。
【００２０】
また、閲覧時撮影機能２１１が取得した紙カルテのカルテ情報に関する画像から、病名を表す特定の文字列をＯＣＲにより抽出し、抽出した文字列から得られた病名から上述した罹患状態に応じて予め定められている期間を特定するようにしてもよい。例えば、カルテ情報保持機能２０８が保持する画像の中に閲覧時撮影機能２１１が取得した画像と一致する画像があったとして、その一致した画像に紐付けられている日時情報が２０１３年４月２２日を示していたとする。即ち、前記一致した画像が２０１３年４月２２日にスキャンされたものであったとする。また、前記一致した画像の基となったカルテ情報の該当患者が悪性腫瘍に罹患していたとする。この場合、本実施形態におけるカルテ情報比較機能２１０は、関連情報保持機能２０９が保持する関連情報のうち、２０１２年１０月２２日から２０１３年１０月２２日までの期間内の日付を示す日時情報に紐付けられている関連情報を抽出する。即ち、本実施形態におけるカルテ情報比較機能２１０は、２０１２年１０月２２日から２０１３年１０月２２日までの期間内に行われた検査で取得された関連情報を抽出することになる。
以上、本実施形態によれば、医師が閲覧している紙カルテの閲覧ページに関連する関連情報のうち、該当患者の罹患状態に応じて異なる重要なタイムスケールの期間内の関連情報のみを自動的に得ることができる。
【００２１】
＜実施形態３＞
本実施形態におけるシステム構成、ハードウェア構成、機能構成、フローチャートについては、図１〜３を用いて実施形態１で説明した通りであるため説明を省略する。本実施形態では、カルテ情報比較機能２１０が、関連情報保持機能２０９により保持されている関連情報の中から閲覧時撮影機能２１１が取得した画像と関連する関連情報を抽出する際の抽出方法が実施形態１、２と異なる。
本実施形態でいう「関連する」関連情報とは、カルテ情報比較機能２１０が取得した日時情報に基づき院内システムを介して特定された検査日に検査、取得された関連情報のことである。院内に多数の診療科を持つような大規模な病院では、内科等の診察を行う診療科と、放射線科等の検査を専門に行う診療科とが分離していることが多い。この場合、例えば内科等の診察を行った医師は、放射線科等の検査を行う診療科へ検査の依頼を送付することがある。また、大規模な病院では非常に多数の患者に対応するため、診療日と検査日とが異なる場合が多い。
【００２２】
本実施形態におけるカルテ情報比較機能２１０は、自身が取得した日時情報が示す紙カルテの作成日、即ち、前記紙カルテがスキャンされた日に院内で発行された検査依頼（検査オーダー）を院内システムに問い合わせて取得する。そして、カルテ情報比較機能２１０は、取得した検査依頼により指定されている検査日を特定し、特定した検査日に検査、取得された関連情報を、上述した「関連する」関連情報として抽出する。例えば、カルテ情報保持機能２０８が保持する画像の中に閲覧時撮影機能２１１が取得した画像と一致する画像があったとして、その一致した画像に紐付けられている日時情報が２０１３年１０月２２日を示していたとする。即ち、前記一致した画像が２０１３年１０月２２日にスキャンされたものであったとする。そして、カルテ情報比較機能２１０による院内システムへの問い合わせと検索の結果、２０１３年１０月２２日に、放射線科に対して該当患者のＣＴ検査が依頼されていて、その検査日が２０１３年１０月２９日であることが特定されたとする。この場合、本実施形態におけるカルテ情報比較機能２１０は、関連情報保持機能２０９が保持する関連情報のうち、２０１３年１０月２９日に、放射線科において該当患者に対して行われたＣＴ検査で取得された関連情報を抽出することになる。即ち、カルテ情報比較機能２１０は、関連情報保持機能２０９が保持する関連情報のうち、２０１３年１０月２９日を示す日時情報に紐付けられている関連情報を抽出する。
以上、本実施形態によれば、医師が閲覧している紙カルテの閲覧ページに関連する関連情報のうち、前記紙カルテの閲覧ページが作成された際に発行された検査依頼により指定された検査日に行われた検査に関する関連情報を自動的に得ることができる。
【００２３】
＜実施形態４＞
本実施形態におけるシステム構成、ハードウェア構成、機能構成、フローチャートについては、図１〜３を用いて実施形態１で説明した通りであるため説明を省略する。
本実施形態における関連情報表示機能２１２は、カルテ情報比較機能２１０が関連情報保持機能２０９から抽出した関連情報をモニタ装置１０５に表示する際に、実施形態２で説明したようにカルテ情報比較機能２１０が取得した患者情報を併せて表示する。上述したように、患者情報はカルテ情報保持機能２０８により保持されている。即ち、関連情報表示機能２１２は、閲覧時撮影機能２１１が撮影した紙カルテに記載されているカルテ情報の患者の氏名や罹患状態といった患者情報を関連情報と併せて表示する。なお、患者情報には、患者の年齢、性別、顔画像等の情報が含まれていてもよい。これにより、医師が異なる患者の紙カルテを参照して診察を行ってしまう等の過誤を未然に防ぐことができる。
【００２４】
また、カルテ情報比較機能２１０は、図３に示すフローチャートのＳ３０８で一致する画像を発見した際に、その一致する画像と紐付けてカルテ情報保持機能２０８により保持されている患者情報を取得して保持しておくようにしてもよい。なお、ここで取得される患者情報には、患者の氏名や患者のＩＤといった患者を識別する患者識別情報が含まれているものとする。そして、Ｓ３０５でページめくりが検出され、カルテ情報比較機能２１０が、再びＳ３０８で一致する画像を発見したとする。この場合、カルテ情報比較機能２１０は、再びＳ３０８で発見した一致する画像に紐付けられている患者情報が示す患者と、前回取得して保持している患者情報が示す患者とが一致するか否かを判定する。そして、カルテ情報比較機能２１０は、患者が一致しない場合にはエラーと判定する。その場合、関連情報表示機能２１２は、モニタ装置１０５の画面に表示する関連情報の更新を行わない。また、関連情報表示機能２１２は、エラーメッセージを表示するようにしてもよい。これにより、医師が異なる患者の紙カルテを参照して診察を行ってしまう等の過誤を未然に防ぐことができる。
以上、本実施形態によれば、偶然類似した紙カルテが存在したことにより生じる誤った関連情報の表示を回避することができる。また、一冊の紙カルテには通常一人の患者のカルテ情報のみを書き込むことから、ページめくりによる再検索で異なる患者のカルテ情報に関する画像が得られた場合、画像取得又は画像比較に誤りがあったことを医師に通知することができる。
【００２５】
＜その他の実施形態＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００２６】
以上、上述した各実施形態によれば、医師（ユーザ）が紙カルテをめくって興味のあるページを閲覧するだけで関連する情報を自動的に得ることを可能とし、医師の作業負荷を軽減させることができる。
【００２７】
以上、本発明の好ましい形態について詳述したが、本実施形態は係る特定の実施形態に限定されるものではなく、特許請求の範囲に記載された本発明の要旨の範囲内において、種々の変形・変更が可能である。
【符号の説明】
【００２８】
１０１  画像保存サーバ、１０２  検査機器、１０３  紙カルテスキャン装置、１０４  操作端末、１０５  モニタ装置、１０６  紙カルテ撮影装置、２０７  カルテ情報スキャン機能、２０８  カルテ情報保持機能、２０９  関連情報保持機能、２１０  カルテ情報比較機能、２１１  閲覧時撮影機能、２１２  関連情報表示機能
【図１】
2016122282.tif 000003
【図２】
2016122282.tif 000004
【図３】
2016122282.tif 000005